(57)【要約】      （修正有）【課題】ペットボトルとコップの側面を曲線状に形成し、ペットボトルの底にコップを脱着自在に取り付けたコップ底付ペットボトル提供することにある。【解決手段】ペットボトル本体１は、注ぎ口を開閉可能にするキャップ３が装着され、コップ２は、取り外され、飲料水が注がれ、ペットボトル本体１の底に脱着自在に装着され、ペットボトル本体凹部４は、ペットボトル本体１の側面に曲線状に形成され、コップ本体凹部５は、コップ２の側面に曲線状に形成され、ペットボトル本体凹部４に係止されることを特徴とする。【選択図】図１
0003113361.tif 000002
【実用新案登録請求の範囲】
【請求項１】
注ぎ口を開閉可能にするキャップが装着されたペットボトル本体と、取り外され、飲料水が注がれ、前記ペットボトル本体の底に脱着自在に装着されたコップと、前記ペットボトル本体の側面が曲線状に形成されたペットボトル本体凹部と、前記ペットボトル本体凹部に係止され、前記コップの側面が曲線状に形成されたコップ本体凹部とを有することを特徴とするコップ底付ペットボトル。
【考案の詳細な説明】
【技術分野】
【０００１】本考案は、コップ底付ペットボトル、詳しくは、飲料水入りのペットボトルの底にコップを取り付けたコップ底付ペットボトルに関する。
【背景技術】
【０００２】中高年の方がおにぎりや弁当を食べながらペットボトルの飲料水をコップに注いで食事をしている光景をよく見かける。会議や打合せなどに、飲料水入りのペットボトルとコップを他に用意するのをよく目にする。水割りやウーロン割り、キャンプや運動会、山登りやハイキングに飲料水入りのペットボトルが使用されている。短時間で飲料される飲料水入りのペットボトルは、携帯することができ、キャップを外して水分を補給することができる便利なものである。【０００３】しかしながら、飲料水入りのペットボトルには、コップが付属していないため、コップを他に用意する必要があり、また、紙コップを使用した場合、ごみの分別が要されるものである。また、空のペットボトルとコップを持ち帰らなければならない場合もある。【０００４】このようなことから、コップを他に用意する必要もなく、また、紙コップを使用することもなく、ごみの分別が要されず、ペットボトルとコップを同じ素材にすれば、リサイクルが可能で環境にも優しい容器になり、環境や経済性を配慮しても、実用性が大いにあると思われる。短時間で飲み終えられ、再生される現在のペットボトルの利点を活かし、原型はほとんど変わらなく見られ、変わらない良さを保つことができ、ペットボトルの底にコップが取外し自由に配置されるとともに携帯することが可能で、コップがペットボトルの載置台になり、置いた時の安定感がよい、構造が単純でペットボトルとコップを合体させた飲料水入り用に適したペットボトルを提案するものである。【０００５】従来のコップ付ペットボトルでは、底部がねじになっており付属のコップを装着できるようになっている。（例えば、特許文献１参照。）また、ペットボトルのラベルを下方向に引き抜くことによりラベルがコップとなるペットボトルラベルのコップがある。（例えば、特許文献２参照。）
【特許文献１】実開平６−０４２６６７号公報
【特許文献２】特開２００２−８００４５号公報
【考案の開示】
【考案が解決しようとする課題】
【０００６】以上のように、ペットボトルとコップの側面を曲線状に形成し、ペットボトルの底にコップを脱着自在に取り付けていなかった。そこで、本考案の目的は、ペットボトルボトル本体とコップ本体の側面を曲線状に形成し、ペットボトルの底にコップを脱着自在に取り付けたコップ底付ペットボトルを提供することにある。
【課題を解決するための手段】
【０００７】請求項１記載の考案によれば、ペットボトル本体は、注ぎ口を開閉可能にするキャップが装着され、コップは、取り外され、飲料水が注がれ、ペットボトル本体の底に脱着自在に装着され、ペットボトル本体凹部は、ペットボトル本体の側面に曲線状に形成され、コップ本体凹部は、コップの側面に曲線状に形成され、ペットボトル本体凹部に係止されることを特徴とする。【０００８】ペットボトル本体は、コップが脱着自在に装着される。コップが脱着自在に装着され、コップを脱着自在に装着することができるため、コップを脱着自在に装着することができる。【０００９】コップは、ペットボトル本体の底に脱着自在に装着される。取り外され、飲料水が注がれる。取り外され、飲料水が注がれ、取り外すことができ、飲料水を注ぐことができる。【００１０】キャップは、ペットボトル本体の上部に装着される。注ぎ口が開閉可能にされる。注ぎ口が開閉可能にされ、注ぎ口を開閉可能にできるため、注ぎ口を開閉可能にすることができる。【００１１】ペットボトル本体凹部は、ペットボトル本体の側面に曲線状に形成される。コップ本体凹部が係止される。コップ本体凹部が係止され、コップ本体凹部を係止することができるため、コップ本体凹部を係止することができる。【００１２】コップ本体凹部は、コップの側面に曲線状に形成される。ペットボトル本体凹部に係止される。ペットボトル本体凹部に係止され、ペットボトル本体凹部に係止することができるため、ペットボトル本体凹部に係止することができる。
【考案の効果】
【００１３】以上説明したように請求項１記載の考案によれば、ペットボトル本体は、注ぎ口を開閉可能にするキャップが装着され、コップは、取り外され、飲料水が注がれ、ペットボトル本体の底に脱着自在に装着され、ペットボトル本体凹部は、ペットボトル本体の外表面に曲線状に形成され、コップ本体凹部は、コップの側面に曲線状に形成され、ペットボトル本体凹部に係止されることを特徴としている。【００１４】ペットボトル本体は、コップが脱着自在に装着され、コップを脱着自在に装着することができるため、コップを脱着自在に装着して、コップに飲料水を注いで飲むことができる。【００１５】コップは、ペットボトル本体の底に脱着自在に装着され、取り外され、飲料水が注がれ、取り外すことができ、飲料水を注ぐことができるため、取り外して、飲料水を注いで、飲料水を飲むことができる。【００１６】キャップは、ペットボトル本体の上部に装着され、注ぎ口が開閉可能にされ、注ぎ口を開閉可能にできるため、注ぎ口を開閉可能にして、飲料水をコップに注ぐことができる。【００１７】ペットボトル本体凹部は、ペットボトル本体の側面に曲線状に形成され、コップ本体凹部が係止され、コップ本体凹部を係止することができるため、コップ本体凹部を係止して、コップを脱着自在に装着することができる。【００１８】コップ本体凹部は、コップの側面に曲線状に形成され、ペットボトル本体凹部に係止され、ペットボトル本体凹部に係止することができるため、ペットボトル本体凹条に係止して、ペットボトル本体に脱着自在に装着することができる。
【考案を実施するための最良の形態】
【００１９】以下、本考案の実施例の形態を、図を参照にして説明する。図１は、本考案の実施例におけるコップ底付ペットボトルを表している。図１に示されるように、ペットボトル本体１と、コップ２と、キャップ３と、ペットボトル本体凹部４と、コップ本体凹部５を有することを特徴としている。【００２０】ペットボトル本体１の底には、載置台にもなるコップ２が脱着自在に装着され、コップ２を脱着在に装着することができるため、コップ２を脱着自在に装着して、コップ２に飲料水を注いで飲むことができるように、コップ２が脱着自在に装着されている。【００２１】コップ２は、ペットボトルと同じ材質であり、可能取り外され、飲料水が注がれ、取り外すことができ、飲料水を注ぐことができるため、取り外して、飲料水を注いで、飲料水を飲むことができるように、ペットボトル本体１の底に脱着自在に装着されている。【００２２】キャップ３は、注ぎ口が開閉可能にされ、注ぎ口を開閉可能にできるため、注ぎ口を開閉可能にして、飲料水をコップ２に注ぐことができるように、ペットボトル本体１の上部に装着されている。【００２３】ペットボトル本体凹部４は、曲線状であり、コップ本体凹部５が係止され、コップ本体凹部５を係止することができるため、コップ本体凹部５を係止して、コップ２を脱着自在に装着することができるように、ペットボトル本体１の側面に凹設されている。【００２４】コップ本体凹部５は、曲線状であり、ペットボトル本体凹部４に係止され、ペットボトル本体凹部４に係止することができるため、ペットボトル本体凹部４に係止して、ペットボトル本体１に脱着自在に装着することができるように、コップ２の側面に凹設されている。【００２５】図２は、本考案の実施例におけるペットボトル本体１とコップ２の係合状態を示すコップ底付ペットボトルを表している。図３は、本考案の実施例におけるペットボトル本体１とコップ２が脱着自在に装着されたコップ底付ペットボトルを表している。ペットボトル本体１は、収縮変形される。収縮変形され、収縮変形することができるため、収縮変形して、コップ２に脱着自在に装着することができる。コップ２は、収縮変形される。収縮変形され、収縮変形することができるため、収縮変形して、ペットボトル本体１に脱着自在に装着することができる。ペットボトル本体１は、コップ２により、定着され、置かれる。【００２６】図４は、本考案の実施例におけるコップ底付ペットボトルの一側の概観を表している。コップ２は、円筒形状にこだわらず、六角形やコップの中腹部にいろいろな溝を入れて持ちやすくして、中高年層に受け入れられる工夫ができる。また、カラフルな色を使用し、キャラクターや絵柄、模様を描いて、若者や低年層にも受け入れられる工夫もできる。
【図面の簡単な説明】
【００２７】
【図１】本考案の実施例であるコップ２とペットボトルの概観図である。
【図２】本考案の実施例であるコップ２とペットボトルの係合状態を表した概観図である。
【図３】  本考案の実施例であるコップ２とペットボトルが脱着自在に装着された概観図である。
【図４】本考案の実施例におけるコップ底付ペットボトルの斜視図である。
【符合の説明】
【００２８】１：ペットボトル本体    ２：コップ    ３：キャップ    ４：ペットボトル本体凹部
５：コップ本体凹部
【図１】
0003113361.tif 000003
【図２】
0003113361.tif 000004
【図３】
0003113361.tif 000005
【図４】
0003113361.tif 000006